(57)【要約】      （修正有）【課題】十分な強度を有するとともに、歩行者がデッキの上面から不快感を受けることがなく、さらに、雨等によってサビ・腐食等が起こり難く、しかも、施工現場で製造しても施工時間が短いデッキ及びデッキの製造方法を提供する。【課題手段】複数の根太材１００と、複数のデッキ材２００とが交差状に配されてなるデッキであって、前記根太材１００の上面とデッキ材２００の下面とには、両者の交差部位Ａにおいて、相対向する部位に孔部１１０，２１０が形成されており、該孔部１１０，２１０には、ダボ材３００が嵌入されており、前記根太材１００とデッキ材２００とが接合されている。【選択図】図２
2007126947.tif 000002
【特許請求の範囲】
【請求項１】
複数の根太材と、複数のデッキ材とが交差状に配されてなるデッキであって、
前記根太材の上面とデッキ材の下面とには、両者の交差部位において、相対向する部位に孔部が形成されており、
該孔部には、ダボ材が嵌入されており、前記根太材とデッキ材とが接合されていることを特徴とするデッキ。
【請求項２】
請求項１記載のデッキであって、
前記デッキ材には、根太材とデッキ材との一つの交差部位において、デッキ材の短手方向に複数個の前記孔部が設けられていることを特徴とするデッキ。
【請求項３】
請求項２記載のデッキであって、
前記デッキ材の複数個の孔部は、根太材とデッキ材との一の交差部位における前記孔部のピッチと、他の交差部位における孔部のピッチとが略同一ピッチで配されていることを特徴とするデッキ。
【請求項４】
請求項１乃至３の何れかに記載のデッキであって、
前記根太材、デッキ材、および、ダボ材は、木材から構成されていることを特徴とするデッキ。
【請求項５】
複数の根太材と、複数のデッキ材とが交差状に配して接合するデッキの製造方法であって、
前記根太材とデッキ材との交差部位に設けられた前記根太材の上面側の孔部またはデッキ材の下面側の孔部の何れか一方に、ダボ材を嵌入させる手順と、
前記根太材またはデッキ材の他方側の孔部に、前記ダボ材を嵌入させて、前記根太材とデッキ材とを接合する手順とを有することを特徴とするデッキの製造方法。
【請求項６】
請求項５記載のデッキの製造方法であって、
前記デッキ材には、根太材とデッキ材との一つの交差部位において、デッキ材の短手方向に複数個の前記孔部が設けられていることを特徴とするデッキの製造方法。
【請求項７】
請求項６記載のデッキの製造方法であって、
前記デッキ材の複数個の孔部は、根太材とデッキ材との一の交差部位における前記孔部のピッチと、他の交差部位における孔部のピッチとが略同一ピッチで配されていることを特徴とするデッキの製造方法。
【請求項８】
請求項５乃至７の何れかに記載のデッキの製造方法であって、
前記根太材、デッキ材、および、ダボ材は、木材から構成されていることを特徴とするデッキの製造方法。
【発明の詳細な説明】
【技術分野】
【０００１】
本願発明は、デッキに関するものである。
【背景技術】
【０００２】
デッキは、たとえば、図４に示すように、木製の複数の根太材１００と、木製の複数のデッキ材２００とが交差状に配して接合されて設けられたデッキに関するものである。
【０００３】
図４に示すデッキは、たとえば、複数の根太材１００を一定間隔をあけて平行に並べて、この根太材１００の上に、根太材１００と直交する方向にデッキ材２００を敷き詰めて、根太材１００とデッキ材２００との交差部位をデッキ材２００の上面側から有底孔部２２０を形成して、この有底孔部２２０に金属製のビス４００等を打ち込むことにより根太材１００とデッキ材２００とを組み合わせて製造されるものであった。
【０００４】
しかしながら、上記のようにデッキ材２００の上面側に有底孔部２２０を形成する段階において、この有底孔部２２０の周縁部分においてデッキ材２００の上面に所謂ささくれが生じ、これによりデッキ材２００の上面を歩行する歩行者に不快感を与えるおそれがあった。
【０００５】
また、この種のデッキを外部に設置している場合には、雨などによりビス４００やその周囲がサビ・腐食してしまうという問題があった。さらに、外部にデッキが長期間設置されていると、日光の照射等により木製からなるデッキ材２００にそりが生じ、ビスが離脱する場合も存在した。
【０００６】
また、この種のデッキは、設置される場所の広さ等に応じてデッキの大きさ等が適宜変更されるために、上記したデッキの製造は、設置される現場で組み立てることが多く、有底孔部の形成作業や、ビスの打ち込み作業等の上記製造手順によって施工時間が長くなるという問題を有していた。
【０００７】
また、上記のようにデッキ材の上面のささくれが生ずる問題や、ビスの周囲部のサビ・腐食の問題を解決するためには、根太材の下面側からビスを打ち込むことも考えられるが、施工時間が長時間するものであり、さらには、根太材とデッキ材との接合強度も低下するという問題を有している。
【０００８】
さらに、たとえば特許文献１のように、押さえ材等の部材を介してデッキ材と根太材とを固定することも考えられるが、上記した施工時間の長期化の問題のみならず、部品点数の増加によりコスト高となる問題を有する。また、デッキ材や根太材を木材から構成する場合には、上記押さえ材を固定するネジが金属製であるので、この部位からのサビ・腐食の問題が存在する。
【特許文献１】特開２００４−２１８３１３号公報
【発明の開示】
【発明が解決しようとする課題】
【０００９】
そこで、本願発明は、上記問題点に鑑みてなされたものであり、本願発明は、十分な強度を有するとともに、歩行者がデッキの上面から不快感を受けることがなく、さらに、雨等によってサビ・腐食等が起こり難く、しかも、施工現場で製造しても施工時間が短いデッキ及びデッキの製造方法を提供することを課題とする。
【課題を解決するための手段】
【００１０】
上記課題を解決すべく本願発明はなされているものであって、本願発明に係るデッキは、複数の根太材と、複数のデッキ材とが交差状に配されてなるデッキであって、前記根太材の上面とデッキ材の下面とには、両者の交差部位において、相対向する部位に孔部が形成されており、該孔部には、ダボ材が嵌入されており、前記根太材とデッキ材とが接合されていることを特徴とする。
【００１１】
また、本願発明に係るデッキの製造方法は、複数の根太材と、複数のデッキ材とが交差状に配して接合するデッキの製造方法であって、前記根太材とデッキ材との交差部位に設けられた前記根太材の上面側の孔部またはデッキ材の下面側の孔部の何れか一方に、ダボ材を嵌入させる手順と、前記根太材またはデッキ材の他方側の孔部に、前記ダボ材を嵌入させて、前記根太材とデッキ材とを接合する手順とを有することを特徴とする。
【００１２】
上記構成からなる本願発明にあっては、孔部にダボ材を嵌入することによって、容易且つ迅速にデッキを製造することができ、施工現場において施工した場合であっても施工を短時間に行うことができる。また、デッキ材の上面には、孔部が存在しないため、デッキの上面を歩行する歩行者に不快感を与えない。さらに、前記根太材、デッキ材、および、ダボ材を、木材から構成することにより、金属製の部材を利用しないため、サビ等が生じない。また、前記デッキ材の下面側からの孔部を有底孔部とすることにより、従来のものと異なり、デッキの上面側に孔部等が表れず、美観においても優れている。
【００１３】
また、本願発明にあっては、デッキ材に、根太材とデッキ材との一つの交差部位において、デッキ材の短手方向に複数個の前記孔部が設けられていることが好ましい。これにより、根太材とデッキ材との接合強度に優れ、たとえば、木製からなるデッキ材に反りが生じた場合であっても、根太材とデッキ材との接合を維持することができる。
【００１４】
また、上記構成を採用した場合にあっては、デッキ材の複数個の孔部を、根太材とデッキ材との一の交差部位における前記孔部のピッチと、他の交差部位における孔部のピッチとが略同一ピッチで配することが好ましい。これにより、同一の構成の根太材または同一構成のデッキ材を利用して、種々の大きさのデッキを組み立てることが可能となり、各部材の汎用性が高くなる利点を有する。
【発明を実施するための最良の形態】
【００１５】
以下、本願発明の一実施の形態を図面を参酌しつつ説明する。なお、図１は、本実施形態のデッキの説明図であり、（イ）は平面図、（ロ）は正面図である。図２は、同実施形態のデッキの断面側面図である。図３は、同実施形態の製造過程における側面図である。
【００１６】
本実施形態のデッキは、図１に示すように、複数の木製の根太材１００と、複数の木製のデッキ材２００とが直交するように配され、根太材１００とデッキ材２００とが交差部位Ａにおいて粗円柱形状のダボ材３００によって固定されているものである。ここで、前記根太材１００、デッキ材２００、および、ダボ材３００は、本実施形態では同一の素材から構成されており、具体的には、たとえばイペ材から構成されている。
【００１７】
また、本実施形態においては、根太材１００は、一定間隔をもって配置されており、たとえば前記デッキ材２００の厚みが２０ｍｍ程度であれば、複数の根太材１００が５００ｍｍ〜７００ｍｍ程度の間隔をもって配されている。さらに、前記デッキ材２００は、複数の根太材１００の上面に、各根太材１００に直交する方向に載置されており、本実施形態においては、複数のデッキ材２００が若干の隙間をもって配置されている。
【００１８】
また、前記根太材１００の上面とデッキ材２００の下面とには、両者の交差部位Ａにおいて、相対向する部位に有底孔部１１０，２１０が形成されており、この有底孔部１１０，２１０には、前記ダボ材３００が嵌入されており、これにより根太材１００とデッキ材２００とが接合されている。有底孔部１１０，２１０の内径は、前記ダボ材３００の外径と略同一に設けられている。また、前記ダボ材３００には、上端周縁および下端周縁にテーパー面３１０が設けられている。なお、有底孔部１１０，２１０の周縁にテーパー面を設けることも可能である。
【００１９】
また、前記有底孔部１１０，２１０は、根太材１００とデッキ材２００との一つの交差部位Ａにおいて、デッキ材２００の短手方向に二つ設けられている。また、この二つの有底孔部１１０，２１０は、各交差部位Ａにおいて、デッキ材２００の短手方向同一位置に形成されており、各交差部位Ａにおいて同一のピッチＰで配されている。また、本実施形態においては、有底孔部１１０，２１０は、各交差部位Ａにおいて、デッキ材２００の長手方向中央位置に形成されている。
【００２０】
次に、本実施形態のデッキの製造方法について概説する。
【００２１】
まず、下面に有底孔部２１０が形成された複数枚のデッキ材２００、および、上面に有底孔部２１０が形成された複数枚の根太材１００を用意するとともに、複数個のダボ材３００を用意する。
【００２２】
そして、根太材１００の有底孔部１１０にダボ材３００を嵌入し、ダボ材３００の頭部を根太材１００の表面から突出した状態とする。そして、この根太材１００から突出したダボ材３００をデッキ材２００の有底孔部２１０させる。前記嵌入作業に際しては、ダボ材３００またはデッキ材２００をかなづち等により叩くことによって可能である。
【００２３】
なお、本願発明は上記実施形態の構成に限定されるものではなく、本願発明の意図する範囲内において適宜設計変更可能である。
【００２４】
つまり、たとえばデッキ材２００を若干の隙間をもって配したものについて説明したが、隣接するデッキ材２００同士を密接状態に設けたものも本願発明の意図する範囲内である。また、各部材をイペ材から構成したものについて説明したが、本願発明はこれに限定されるものではなく、種々の素材から構成することも可能である。
【図面の簡単な説明】
【００２５】
【図１】本実施形態のデッキの説明図であり、（イ）は平面図、（ロ）は正面図である。
【図２】同実施形態のデッキの要部拡大側面断面図である。
【図３】同実施形態のデッキの製造過程における側面図である。
【図４】従来例のデッキの（イ）は平面図、（ロ）は要部拡大正面断面図である。
【符号の説明】
【００２６】
１００  根太材
１１０  有底孔部
２００  デッキ材
２１０  有底孔部
３００  ダボ材
３１０  テーパー面
Ａ      交差部位
【図１】
2007126947.tif 000003
【図２】
2007126947.tif 000004
【図３】
2007126947.tif 000005
【図４】
2007126947.tif 000006